(57)【要約】【課題】基材を屈曲させても正確な位置検出を行うことができる入力装置を提供すること。【解決手段】本発明の入力装置は、基材と、基材の検出領域の第１方向に延出し、第１方向と交差する第２方向に並設された複数の第１電極と、基材の検出領域の第２方向に延出し、第１方向に並設された複数の第２電極と、を備える。この入力装置において、検出領域を第２方向に貫く屈曲可能領域内に位置する部分を有する第２電極には、第２方向に延びる中心軸に対して一方側に設けられる第１引き出し配線と、中心軸に対して他方側に設けられる第２引き出し配線と、が接続される。【選択図】図１
2020187382.tif 000002
【特許請求の範囲】
【請求項１】
基材と、
前記基材の検出領域の第１方向に延出し、前記第１方向と交差する第２方向に並設された複数の第１電極と、
前記基材の前記検出領域の前記第２方向に延出し、前記第１方向に並設された複数の第２電極と、
を備え、
前記検出領域を前記第２方向に貫く屈曲可能領域内に位置する部分を有する前記第２電極には、前記第２方向に延びる中心軸に対して一方側に設けられる第１引き出し配線と、前記中心軸に対して他方側に設けられる第２引き出し配線と、が接続されたことを特徴とする入力装置。
【請求項２】
前記第２電極は、
前記第２方向に並設された複数の第２の電極部と、
隣り合う前記第２の電極部の間を連結する連結部と、を有し、
前記連結部は、
前記屈曲可能領域の前記第２方向に延びる中心軸に対して一方側に設けられる第１連結部分と、
前記中心軸に対して他方側に設けられる第２連結部分と、を有する請求項１記載の入力装置。
【請求項３】
前記基材が曲率半径（φ／２）で屈曲可能に設けられている場合、前記第１連結部分と前記第２連結部分との前記第１方向の間隔ｄは、πφ／２以上である、請求項２記載の入力装置。
【請求項４】
前記第１連結部分および前記第２連結部分の少なくとも一方は、前記第１電極に設けられたスリット部を通過するように設けられた、請求項２または３に記載の入力装置。
【請求項５】
前記第１連結部分および前記第２連結部分の少なくとも一方は、前記第１電極と交差するように設けられた、請求項２から４のいずれか１項に記載の入力装置。
【請求項６】
前記第２電極は、
前記第２方向に並設された複数の第２の電極部と、
隣り合う前記第２の電極部の間を連結する連結部と、を有し、
前記屈曲可能領域内に設けられる前記連結部は、前記屈曲可能領域内の全面に設けられた、請求項１記載の入力装置。
【請求項７】
前記基材が曲率半径（φ／２）で屈曲可能に設けられている場合、前記連結部の前記第１方向の幅は、πφ／２以上である、請求項６記載の入力装置。
【請求項８】
前記連結部の少なくとも一部は、前記第１電極に設けられたスリット部を通過するように設けられた、請求項６または７に記載の入力装置。
【請求項９】
前記連結部の少なくとも一部は、前記第１電極と交差するように設けられた、請求項６から８のいずれか１項に記載の入力装置。
【請求項１０】
前記基材は、前記屈曲可能領域の前記中心軸の位置で屈曲している、請求項１〜９のいずれか１つに記載の入力装置。
【請求項１１】
前記基材は、曲率半径０．５ｍｍ以下で屈曲している、請求項１０記載の入力装置。
【請求項１２】
前記第１電極と前記第２電極とは前記基材の同一面側に配置され、
前記第１電極は、
前記第１方向に並設された複数の第１の電極部と、
前記第１電極と前記第２電極とが交差する位置で隣り合う前記第１の電極部の間を接続するブリッジ接続部と、を有する請求項１から１１のいずれか１項に記載の入力装置。
【発明の詳細な説明】
【技術分野】
【０００１】
本発明は、入力装置に関し、特に基材を屈曲させた場合でも正確に検出可能な入力装置に関する。
【背景技術】
【０００２】
各種情報処理装置では、カラー液晶表示パネルの前方に透光性の入力装置が配置されている。この入力装置はタッチパネルと称される。タッチパネルでは電極間に静電容量が形成され、人の指が接近したときの電荷の移動の変化から指の接近位置の座標を判定している。この電荷の移動の変化を検出するには、静電容量式センサが用いられる。
【０００３】
近年では多種多様なデバイスに対応するため、平面のみならず屈曲可能なタッチパネルも提案されている。特許文献１〜３には、折り曲げ領域および折り曲げ線を有する入力装置が開示される。これらの入力装置では、折り曲げ領域に検出用のパターンを設けないようにしたり、折り曲げ領域のパターンを折り曲げに適した材料で構成したりすることが開示されている。
【０００４】
特許文献４，５には、入力装置において折り曲げ領域に含まれる検出用パターンとして、屈曲性に優れているバインダ内に導電性材料を混ぜ合わせた材料（例えば、銀ナノワイヤ）を用いることが開示されている。
【先行技術文献】
【特許文献】
【０００５】
【特許文献１】米国特許出願公開第２０１６／０１８８０９８号明細書
【特許文献２】米国特許出願公開第２０１３／０３００６７８号明細書
【特許文献３】米国特許出願公開第２０１５／００２２７３２号明細書
【特許文献４】特開２０１２−０２７８８８号公報
【特許文献５】特開２０１４−０１０５１６号公報
【発明の概要】
【発明が解決しようとする課題】
【０００６】
屈曲可能な入力装置において、屈曲する部分に保護層を設けて屈曲耐性を向上させることが考えられるが、保護層を設けることで厚さの増加を招くとともに、製造工程の増加やコストアップの原因となる。また、導電性材料を用いる場合、透明電極（例えば、ＩＴＯ）と比較してパターン不可視性の悪化、ＥＳＤ耐性の悪化、マイグレーションの懸念が高まる。
【０００７】
本発明は、保護層などを追加することなく、不可視性を悪化させず、屈曲しても正確な検出を行うことが可能な入力装置を提供することを目的とする。
【課題を解決するための手段】
【０００８】
上記課題を解決するため、本発明の一態様に係る入力装置は、基材と、基材の検出領域の第１方向に延出し、第１方向と交差する第２方向に並設された複数の第１電極と、基材の検出領域の第２方向に延出し、第１方向に並設された複数の第２電極と、を備える。
この入力装置において、検出領域を第２方向に貫く屈曲可能領域内に位置する部分を有する第２電極には、第２方向に延びる中心軸に対して一方側に設けられる第１引き出し配線と、中心軸に対して他方側に設けられる第２引き出し配線と、が接続されたことを特徴とする。
【０００９】
このような構成によれば、屈曲可能領域で基材が屈曲し、第２電極の導電性に影響が生じたとしても、第１引き出し配線および第２引き出し配線の少なくとも一方によって第２電極の第２方向への導通性を確保することができる。
【００１０】
上記入力装置において、第２電極は、第２方向に並設された複数の第２の電極部と、隣り合う第２の電極部の間を連結する連結部と、を有し、連結部は、屈曲可能領域の第２方向に延びる中心軸に対して一方側に設けられる第１連結部分と、中心軸に対して他方側に設けられる第２連結部分と、を有していてもよい。
【００１１】
このような構成によれば、屈曲可能領域内に設けられる連結部として、屈曲可能領域の中心軸に対して一方側に設けられる第１連結部分と、中心軸に対して他方側に設けられる第２連結部分とを有しているため、中心軸に沿って基材が屈曲した場合でも連結部が屈曲の影響を受けずに済む。例えば、中心軸に沿って第２電極が屈曲して導電性に影響が生じたとしても、第１連結部分および第２連結部分によって第２電極の第２方向への導通性を確保することができる。
【００１２】
上記入力装置において、基材が曲率半径（φ／２）で屈曲可能に設けられている場合、第１連結部分と第２連結部分との第１方向の間隔ｄを、πφ／２以上にしてもよい。これにより、基材が曲率半径（φ／２）で屈曲しても、第１連結部分および第２連結部分が屈曲の影響を受けずに済む。
【００１３】
上記入力装置において、第１連結部分および第２連結部分の少なくとも一方は、第１電極に設けられたスリット部を通過するように設けられていてもよい。これにより、第１連結部分および第２連結部分の少なくとも一方を第１電極と同層に形成することができる。
【００１４】
上記入力装置において、第１連結部分および第２連結部分の少なくとも一方は、第１電極と交差するように設けられていてもよい。これにより、第１連結部分および第２連結部分の少なくとも一方について第１電極にスリット部を設けることなく導通させることができる。
【００１５】
上記入力装置において、第２電極は、第２方向に並設された複数の第２の電極部と、隣り合う第２の電極部の間を連結する連結部と、を有し、屈曲可能領域内に設けられる連結部は、屈曲可能領域内の全面に設けられていてもよい。また、基材が曲率半径（φ／２）で屈曲可能に設けられている場合、連結部の第１方向の幅は、πφ／２以上であるとよい。
【００１６】
このような構成によれば、屈曲可能領域の全面に連結部を設けているため、中心軸に沿って基材が屈曲した場合でも連結部が屈曲の影響を受けにくくなる。これにより、基材が屈曲した場合でも、連結部を介した第２電極の第２方向への導通性を確保することができる。
【００１７】
上記入力装置において、基材が曲率半径（φ／２）で屈曲可能に設けられている場合、連結部の第１方向の幅は、πφ／２以上であってもよい。これにより、基材が曲率半径（φ／２）で屈曲しても、連結部が屈曲の影響を受けずに済む。
【００１８】
上記入力装置において、連結部の少なくとも一部は、第１電極に設けられたスリット部を通過するように設けられていてもよい。これにより、連結部と第１電極とが互いに同じレイヤーに設けられていても、干渉を回避したパターンレイアウトを行うことができる。
上記入力装置において、連結部の少なくとも一部は、第１電極と交差するように設けられていてもよい。これにより、連結部と第１電極との干渉を回避することができる。
【００１９】
上記入力装置において、基材は、屈曲可能領域の中心軸の位置で屈曲しているものでもよい。この場合、基材は曲率半径０．５ｍｍ以下で屈曲していてもよい。これにより、中心軸に沿って基材が屈曲した場合でも、第２電極の第２方向への導通性を確保することができる。
【００２０】
上記入力装置において、第１電極と第２電極とは基材の同一面側に配置され、第１電極は、第１方向に並設された複数の第１の電極部と、第１電極と第２電極とが交差する位置で隣り合う第１の電極部の間を接続するブリッジ接続部と、を有していていもよい。これにより、異なる基材のそれぞれに第１電極および第２電極が設けられる場合に比べて積層構造の簡素化を図ることができる。
【発明の効果】
【００２１】
本発明によれば、保護層などを追加することなく、不可視性を悪化させず、屈曲しても正確な検出を行うことが可能な入力装置を提供することが可能になる。
【図面の簡単な説明】
【００２２】
【図１】（ａ）および（ｂ）は、第１実施形態に係る入力装置を例示する平面図である。
【図２】電極パターンを例示する模式図である。
【図３】本実施形態に係る入力装置を例示する模式断面図である。
【図４】引き出し配線のレイアウト例を示す模式図である。
【図５】基材を屈曲した状態を例示する模式斜視図である。
【図６】比較例に係る入力装置の基材を屈曲させて状態を例示する模式斜視図である。
【図７】比較例に係る入力装置の基材を屈曲させた状態を例示する模式斜視図である。
【図８】他の構成例（その１）について示す模式図である。
【図９】他の構成例（その２）について示す模式図である。
【図１０】他の構成例（その３）について示す模式図である。
【図１１】他の構成例（その４）について示す模式図である。
【図１２】他の構成例（その５）について示す模式図である。
【図１３】（ａ）および（ｂ）は、他の構成例（その５）の層構造を例示する断面図である。
【発明を実施するための形態】
【００２３】
以下、本発明の実施形態を図面に基づいて説明する。なお、以下の説明では、同一の部材には同一の符号を付し、一度説明した部材については適宜その説明を省略する。
【００２４】
（入力装置の構成）
図１（ａ）および（ｂ）は、第１実施形態に係る入力装置を例示する平面図である。図１（ａ）には入力装置１の全体図が表され、図１（ｂ）には図１（ａ）のＡ部の拡大図が表される。本実施形態において、入力装置１は例えば静電容量式センサである。なお、この明細書において、「透明」「透光性」とは可視光線透過率が５０％以上（好ましくは８０％以上）の状態を指す。さらにヘイズ値が６％以下であることが好適である。
【００２５】
図１（ａ）に表したように、本実施形態に係る入力装置１は、基材１０の位置検出領域Ｓに設けられた第１電極１１および第２電極１２を備える。基材１０は、ポリエチレンテレフタレート（ＰＥＴ）、シクロオレフィンポリマー（ＣＯＰ）等のフィルム状の透明基材やガラス基材等で形成される。第１電極１１および第２電極１２は位置検出領域Ｓ内において指が接触（接近）した位置を検出する検出電極である。第１電極１１および第２電極１２は、ＩＴＯ（Indium Tin Oxide）等の透明導電材料でスパッタや蒸着等により成膜される。第１電極１１および第２電極１２は、金属ナノワイヤ（例えば、銀ナノワイヤ）を含む材料によって形成されていてもよいし、部分的に異なる材料で形成されていてもよい。
【００２６】
第１電極１１は基材１０の表面に沿ったＸ方向（第１方向）に延在し、第２電極１２は基材１０の表面に沿いＸ方向と直交するＹ方向（第２方向）に延在する。第１電極１１および第２電極１２は互いに絶縁される。本実施形態では、Ｙ方向に所定のピッチで複数の第１電極１１が配置され、Ｘ方向に所定のピッチで複数の第２電極１２が配置される。
【００２７】
第１電極１１は複数の第１島状電極部１１１を有する。本実施形態では、複数の第１島状電極部１１１は菱形に近い形状を有し、Ｘ方向に並んで配置される。また、第２電極１２は複数の第２島状電極部１２１を有する。複数の第２島状電極部１２１も菱形に近い形状を有し、Ｙ方向に並んで配置される。
【００２８】
複数の第１電極１１のそれぞれには位置検出領域Ｓの外側へ引き出される引き出し配線ＴＸが接続される。また、複数の第２電極１２のそれぞれにも位置検出領域Ｓの外側へ引き出される引き出し配線ＴＹが接続される。入力装置１では、各引き出し配線ＴＸおよびＴＹを流れる電流の変化を図示しない検出回路で検出する。例えば、第１電極１１および第２電極１２に所定の電位を与えた状態で、位置検出領域Ｓに指を近づけると、第１電極１１および第２電極１２のそれぞれと指との間に静電容量変化が生じる。この静電容量変化によって生じる電位低下を検出することで、指が接近した位置検出領域Ｓ内でのＸ，Ｙ座標を判定する。
【００２９】
図１（ｂ）に表したように、第１電極１１と第２電極１２とは、隣り合う２つの第１島状電極部１１１の連結位置と、隣り合う２つの第２島状電極部１２１の連結位置とで交差している。この交差部分に島状絶縁部３０を介してブリッジ配線部２０が設けられ、交差部分において第１電極１１と第２電極１２とが接触しないようになっている。
【００３０】
本実施形態において、ブリッジ配線部２０は、隣り合う２つの第１島状電極部１１１の間を跨ぐように設けられる。ブリッジ配線部２０はＸ方向に並ぶ各第１島状電極部１１１の間に設けられる。これにより、複数の第１島状電極部１１１が導通状態になる。島状絶縁部３０は、ブリッジ配線部２０と次に説明する連結部４０との間に設けられ、交差部分において第１電極１１と第２電極１２とを絶縁する役目を果たす。
【００３１】
第２電極１２における隣り合う２つの第２島状電極部１２１の間には連結部４０が設けられる。連結部４０は、Ｙ方向に並ぶ各第２島状電極部１２１の間に設けられる。これにより、複数の第２島状電極部１２１が導通状態になる。前述のように、ブリッジ配線部２０は、この連結部４０の上に島状絶縁部３０を介して設けられる。
【００３２】
基材１０の位置検出領域Ｓには、Ｙ方向に貫く屈曲可能領域ＢＲが設けられる。ここで、屈曲可能領域ＢＲとは、基材１０を折り曲げて使用されたときに（例えば、図５参照）、屈曲中心線（後述の中心軸ＢＬ）を含む領域で基材１０が円弧（例えば、半円）形状となる領域のことを言う。基材１０が円弧形状となる領域の一部を屈曲可能領域ＢＲとしてもよい。
【００３３】
屈曲可能領域ＢＲの中心にはＹ方向に延びる中心軸ＢＬが設けられる。なお、屈曲可能領域ＢＲや中心軸ＢＬは、説明の便宜上、定義したものである。
【００３４】
図２は、電極パターンを例示する模式図である。
図２では説明を分かりやすくするために各パターンを実際よりも大きく表している。
図３は、本実施形態に係る入力装置を例示する模式断面図である。図３には、図２に示すＡ−Ａ線断面図が示される。
【００３５】
第１電極１１および第２電極１２は、基材１０の一例であるＰＥＴやＣＯＰによる透光性基材５１の上に形成されている。第１電極１１および第２電極１２の上には、透光性粘着材５３を介して透光性カバーフィルム５５が取り付けられる。透光性カバーフィルム５５には例えばＰＣが用いられる。このような層構造を備える入力装置１は、例えば有機ＥＬや液晶などの表示装置３００の上に透光性粘着材５６によって取り付けられている。
【００３６】
屈曲可能領域ＢＲには、第２電極１２を構成する複数の第２島状電極部１２１がＹ方向に並べられている。また、屈曲可能領域ＢＲにおいて、第１電極１１にはスリット部ＳＬ１、ＳＬ２が設けられる。スリット部ＳＬ１は第１電極１１をＹ方向に貫くように、中心軸ＢＬの一方側に設けられ、スリット部ＳＬ２は第１電極１１をＹ方向に貫くように、中心軸ＢＬの他方側に設けられる。
【００３７】
屈曲可能領域ＢＲに設けられる連結部４０は、第１連結部分４１と第２連結部分４２とを有する。第１連結部分４１は、中心軸ＢＬの一方側に設けられたスリット部ＳＬ１に沿って設けられる。第１連結部分４１は、Ｙ方向に隣り合う２つの第２島状電極部１２１を繋ぐように設けられる。第１連結部分４１は第１電極１１（第１島状電極部１１１）とは導通していない。
【００３８】
第２連結部分４２は、中心軸ＢＬの他方側に設けられたスリット部ＳＬ２に沿って設けられる。第２連結部分４２は、Ｙ方向に隣り合う２つの第２島状電極部１２１を繋ぐように設けられる。第２連結部分４２は第１電極１１（第１島状電極部１１１）とは導通していない。
【００３９】
屈曲可能領域ＢＲでは、中心軸ＢＬ上に連結部４０は設けられておらず、中心軸ＢＬを間にして一方側に第１連結部分４１、他方側に第２連結部分４２が設けられる。すなわち、屈曲可能領域ＢＲでは、中心軸ＢＬから外れた位置にある第１連結部分４１および第２連結部分４２によってＹ方向に並ぶ複数の第２島状電極部１２１が導通状態になっている。
【００４０】
これにより、中心軸ＢＬに沿って基材１０が屈曲した場合でも連結部４０は屈曲の影響を受けない。一方、屈曲可能領域ＢＲでは、第１連結部分４１および第２連結部分４２によって第２電極１２のＹ方向への導通性が保たれる。例えば、中心軸ＢＬに沿って第２電極１２が屈曲して導電性に影響が生じたとしても、第１連結部分４１および第２連結部分４２によって第２電極１２のＹ方向への導通性は確保される。
【００４１】
ここで、基材１０が曲率半径（φ／２）で屈曲可能に設けられている場合、第１連結部分４１と第２連結部分４２とのＸ方向の間隔ｄは、πφ／２以上であることが好ましい（φは直径である）。これにより、基材１０が中心軸ＢＬの位置で曲率半径（φ／２）で屈曲しても、第１連結部分４１および第２連結部分４２は基材１０が屈曲したことによる曲がり部分には位置せず、屈曲の影響を受けずに済む。
【００４２】
このように、第１連結部分４１および第２連結部分４２が基材１０の屈曲の影響を受けにくいため、基材１０を曲率半径（φ／２）＝０．５ｍｍ以下で屈曲させても屈曲可能領域ＢＲでの第２電極１２の導通性を確保することができる。
【００４３】
本実施形態では、スリット部ＳＬ１、ＳＬ２によってＸ方向に延びる第１電極１１が分断されている。したがって、屈曲可能領域ＢＲの一方側の第１電極１１には引き出し配線ＴＸ１が接続され、屈曲可能領域ＢＲの他方側の第１電極１１には引き出し配線ＴＸ２が接続される。図示しない検出回路には、互いに同列の引き出し配線ＴＸ１およびＴＸ２の信号に基づく容量を合算する演算を行う。これにより、第１電極１１が分断されていても、Ｘ方向に延びる１つの第１電極１１としての容量変化を検出することができる。
【００４４】
屈曲可能領域ＢＲ以外の中心軸ＢＬの一方側の第２電極１２には引き出し配線ＴＹ１が接続され、中心軸ＢＬの他方側の第２電極には引き出し配線ＴＹ２が接続される。一方、屈曲可能領域ＢＲの第２電極１２には、中心軸ＢＬの一方側に第１引き出し配線ＴＹ１１が接続され、中心軸ＢＬの他方側に第２引き出し配線ＴＹ２１が接続される。これにより、基材１０の屈曲によって屈曲可能領域ＢＲの第２電極１２が中心軸ＢＬで分断されても、第１引き出し配線ＴＹ１１および第２引き出し配線ＴＹ２１の信号に基づく容量を合算する演算を行えば、Ｙ方向に延びる１つの第２電極１２としての容量変化を検出することができる。なお、第１引き出し配線ＴＹ１１および第２引き出し配線ＴＹ２１のうち少なくとも一方が屈曲可能領域ＢＲ以外に接続されていればよく、好ましくは両方が屈曲可能領域ＢＲ以外に接続されていればよい。
【００４５】
図４は、引き出し配線のレイアウト例を示す模式図である。
図４では説明を分かりやすくするために各パターンを実際よりも大きく表している。
基材１０上の周縁部分には、引き出し配線ＴＸ１、ＴＸ２、ＴＹ１、ＴＹ２、第１引き出し配線ＴＹ１１、第２引き出し配線ＴＹ２１が引き回されている。これらの引き出し配線は基材１０の一端側に集められ、フレキシブル基板１００の各パターンと接続される。フレキシブル基板１００の接続位置は、基材１０の屈曲可能領域ＢＲ以外の周縁部分になっている。これにより、基材１０が屈曲可能領域ＢＲの中心軸ＢＬで屈曲しても、フレキシブル基板１００との接続位置（接続パッド部）が屈曲の影響を受けることはない。
【００４６】
また、本実施形態ではフレキシブル基板１００を基材１０の一端側に接続している。すなわち、第２電極１２の引き出し配線ＴＹ１、ＴＹ２、第１引き出し配線ＴＹ１１および第２引き出し配線ＴＹ２１は基材１０の一端側だけに引き出されている。また、第１電極１１の引き出し配線ＴＸ１およびＴＸ２は両側から基材１０の一端側に引き回されている。これにより、フレキシブル基板１００を基材１０の一端側（一辺）で接続することができる。
【００４７】
（屈曲状態）
図５〜図７は、基材を屈曲した状態を例示する模式斜視図である。
図５には本実施形態に係る入力装置１を用いた基材を屈曲させた状態が示され、図６および図７には比較例に係る入力装置２および３を用いた基材を屈曲させた状態が示される。
いずれの例においても、基材１０を屈曲可能領域ＢＲの中心軸ＢＬで１８０度折り曲げた状態が示される。入力装置１、２および３は折り曲げた基材１０の外側に配置されている。
【００４８】
図５に示すように、本実施形態に係る入力装置１を用いた基材１０を屈曲させた場合、屈曲可能領域ＢＲの中心軸ＢＬに沿って連結部４０は配置されておらず、中心軸ＢＬの一方側に第１連結部分４１および他方側に第２連結部分４２が配置される。すなわち、屈曲可能領域ＢＲにおける第２電極１２は、中心軸ＢＬから外れた位置に設けられた第１連結部分４１および第２連結部分４２によって導通している。
【００４９】
ここで、基材１０の屈曲によって中心軸ＢＬで第２電極１２が分断された場合であっても、分断された一方側は第１連結部分４１によって導通状態を維持でき、分断された他方側は第２連結部分４２によって導通状態を維持できる。第２電極１２の分断された一方側は第１連結部分４１を介して第１引き出し配線ＴＹ１１と導通し、他方側は第２連結部分４２を介して第２引き出し配線ＴＹ２１と導通する。したがって、第１引き出し配線ＴＹ１１および第２引き出し配線ＴＹ２１の信号に基づく容量を合算する演算を行えば、中心軸ＢＬで分断された第２電極１２の容量変化を、１つの第２電極１２の容量変化として検出することができる。
【００５０】
基材１０を屈曲させた際の屈曲可能領域ＢＲは、電子機器のエッジ部分となる。本実施形態に係る入力装置１を用いることで、電子機器のエッジ部分でも第２電極１２による容量変化を正確に検出することができる。したがって、電子機器のエッジ部分でのタッチ動作を精度良く行うことができる。
【００５１】
図６に示すように、比較例（その１）に係る入力装置２を用いた基材１０を屈曲させた場合には、中心軸ＢＬ上に位置する第２電極１２は、複数の第２島状電極部１２１と、隣り合う第２島状電極部１２１の間に位置する連結部４０とからなり、連結部４０は屈曲の際に最も大きな引張力が加わる中心軸ＢＬ上に位置するように配置される。そして、この第２電極１２に接続される引出配線は１つである。このため、屈曲によって中心軸ＢＬ上の複数の連結部４０のうちの１つでも断線すると、中心軸ＢＬ上に位置する第２電極１２の導通性が失われてしまう。その結果、第２電極１２が関与する位置検出を適切に行うことができなくなる。このように、図６に示される入力装置２では、屈曲可能領域ＢＲでの位置検知の精度が低下しやすい。
【００５２】
図７に示すように、比較例（その２）に係る入力装置３では、屈曲可能領域ＢＲにおける中心軸ＢＬに沿ってスリット部ＳＬが設けられており、このスリット部ＳＬに沿って第２電極１２の第２島状電極部１２１が分断されている。この基材１０を屈曲させた場合、中心軸ＢＬ上にはパターンが設けられていないため、第１電極１１や第２電極１２が屈曲によって直接影響を受けることはない。
【００５３】
しかし、スリット部ＳＬによって第２電極１２が分断されているため、屈曲可能領域ＢＲにおいて第２電極１２での位置検出を行うことができない。したがって、この入力装置３を用いた電子機器では、屈曲した際のエッジ部での位置検出を行うことはできない。
【００５４】
このように、本実施形態に係る入力装置１を用いることで、屈曲可能領域ＢＲに複雑なパターン構造を設けることなく、屈曲部分での位置検出を精度良く行うことが可能となる。また、屈曲可能領域ＢＲで第２電極１２が屈曲の影響を受けても検出電極として利用可能なため、電子機器のエッジ部分での位置検出を正確に行うことができる。また、屈曲可能領域ＢＲでもＩＴＯなど不可視性を犠牲にすることのない電極材料を選択することができるため、屈曲可能領域ＢＲにおける不可視性を維持することができる。
【００５５】
（他の構成例）
図８〜図１４は、他の構成例について示す模式図である。
図８に示す他の構成例（その１）に係る入力装置１Ｂは、第１連結部分４１および第２連結部分４２がブリッジ構造になっている例である。
なお、図８に示す例では、第１連結部分４１および第２連結部分４２の両方がブリッジ構造になっているが、いずれか一方であってもよい。
第１連結部分４１および第２連結部分４２がブリッジ構造になっていることで、第１連結部分４１および第２連結部分４２について第１電極１１にスリット部ＳＬ１，ＳＬ２を設けることなくＹ方向に隣り合う２つの第２島状電極部１２１を導通させることができる。
【００５６】
図９に示す他の構成例（その２）に係る入力装置１Ｃは、図１および図２に示す入力装置１の構成に加え、屈曲可能領域ＢＲにもブリッジ配線部２０が設けられている。なお、屈曲可能領域ＢＲに設けるブリッジ配線部２０は、屈曲の影響を受けやすいため、屈曲可能領域ＢＲ以外に設けられたブリッジ配線部２０よりも太くしておくことが好ましい。
【００５７】
このように屈曲可能領域ＢＲにブリッジ配線部２０を設けることで、同列の第１電極１１を分断することなくＸ方向への導通性を確保することができる。
【００５８】
図１０に示す他の構成例（その３）に係る入力装置１Ｄは、屈曲可能領域ＢＲの全面において連結部４５が設けられる。すなわち、連結部４５は、中心軸ＢＬを跨ぎ屈曲可能領域ＢＲの幅でＹ方向に延びるよう設けられる。連結部４５は、Ｙ方向に隣り合う２つの第２島状電極部１２１の間に設けられる。
【００５９】
このような入力装置１Ｄによれば、中心軸ＢＬで第２電極１２が分断された場合であっても、分断された一方側は分断された連結部４５によって導通状態を維持でき、他方側は分断された連結部４５によって導通状態を維持できる。第２電極１２の分断された一方側は分断された連結部４５を介して第１引き出し配線ＴＹ１１と導通し、他方側は分断された連結部４５を介して第２引き出し配線ＴＹ２１と導通する。したがって、第１引き出し配線ＴＹ１１および第２引き出し配線ＴＹ２１の信号に基づく容量を合算する演算を行えば、中心軸ＢＬで分断された第２電極１２の容量変化を、１つの第２電極１２の容量変化として検出することができる。これにより中心軸ＢＬに沿って基材１０が屈曲した場合でも幅の広い連結部４５では屈曲の影響を受けにくくなる。これにより、基材１０が屈曲した場合でも、連結部４５を介した第２電極１２のＹ方向への導通性を確保することができる。
【００６０】
図１１に示す他の構成例（その４）に係る入力装置１Ｅは、基材１０の位置検出領域Ｓに設けられた複数の第１電極１１と、基材１０の位置検出領域Ｓに設けられた複数の第２電極１２とを備えている。なお、図１０では、説明の便宜上、第１電極１１を破線で示す。複数の第１電極１１のそれぞれはＸ方向に延出し、Ｙ方向に並設される。また、複数の第２電極１２のそれぞれはＹ方向に延出し、Ｘ方向に並設される。すなわち、複数の第１電極１１と複数の第２電極１２とが交差するように配置される。
【００６１】
基材１０の一方面側に複数の第１電極１１および複数の第２電極１２が設けられる場合には、第１電極１１と第２電極１２との交差位置には絶縁層（図示せず）が設けられ、両者間に静電容量が構成される。また、基材１０の一方面側に複数の第１電極１１が設けられ、基材１０の他方面側に複数の第２電極１２が設けられていてもよい。この場合には、第１電極１１と第２電極１２との交差位置には基材１０が介在して静電容量を構成する。また、基材１０を２つ有し、一方の基材１０に第１電極１１が設けられ、他方の基材１０に第２電極１２が設けられていてもよい。この場合も、第１電極１１と第２電極１２との交差位置には少なくとも１枚の基材１０あるいは光学粘着層のような誘電体層が介在して静電容量を構成する。
【００６２】
入力装置１Ｅでは、基材１０の屈曲可能領域ＢＲ内に第２電極１２が設けられ、この第２電極１２に第１引き出し配線ＴＹ１１と第２引き出し配線ＴＹ２１とが接続される。第１引き出し配線ＴＹ１１は、屈曲可能領域ＢＲの中心軸ＢＬに対して一方側に設けられ、第２引き出し配線はＴＹ２１、中心軸ＢＬに対して他方側に設けられる。
【００６３】
このような入力装置１Ｅによれば、中心軸ＢＬで第２電極１２が分断された場合であっても、分断された一方側は第１引き出し配線ＴＹ１１によって導通状態を維持でき、他方側は第２引き出し配線ＴＹ２１によって導通状態を維持できる。したがって、第１引き出し配線ＴＹ１１および第２引き出し配線ＴＹ２１の信号に基づく容量を合算する演算を行えば、中心軸ＢＬで分出された第２電極１２の容量変化を、１つの第２電極１２の容量変化として検出することができる。これにより中心軸ＢＬに沿って基材１０が屈曲した場合でも屈曲可能領域ＢＲの第２電極１２が屈曲の影響を受けにくくなる。したがって、基材１０が屈曲した場合でも、第２電極１２のＹ方向への導通性を確保することができる。
【００６４】
なお、屈曲可能領域ＢＲにおいて第１電極１１が屈曲の影響を受けて中心軸ＢＬに沿って分断された場合でも、第１電極１１に接続された一方側の引き出し配線ＴＸ１および他方側に接続された引き出し配線ＴＸ２のそれぞれ信号に基づく容量を合算する演算を行えば、屈曲可能領域ＢＲでの位置検出は可能となる。
【００６５】
図１２に示す他の構成例（その５）に係る入力装置１Ｆは、略菱形の複数の第１島状電極部１１１を有する第１電極１１と、略菱形の複数の第２島状電極部１２１を有する第２電極１２とが互いに異なる層に設けられ、交差する構成を有する。
【００６６】
図１３（ａ）には、図１２に示すＢ−Ｂ線断面における層構造が示される。
図１３（ａ）に示す層構造では、第１透光性基材５１１に第１電極１１が形成され、第２透光性基材５１２に第２電極１２、第１連結部分４１および第２連結部分４２が形成されている。そして、両者が透光性粘着材５４によって貼り合わされている。また、第２透光性基材５１２に形成された第２電極１２、第１連結部分４１および第２連結部分４２の上には、透光性粘着材５３を介して透光性カバーフィルム５５が取り付けられている。このような層構造によって構成される入力装置１Ｆは、透光性粘着材５６によって表示装置３００の上に取り付けられている。
【００６７】
第１電極１１および第２電極１２がそれぞれ異なる透光性基材に設けられていることで、第１電極１１および第２電極１２のそれぞれの電極層構造体の構成を簡素化することができ、これらの電極層構造体を重ねて貼り合わせることで容易に交差電極構造を製造することができる。
【００６８】
上記の層構造では、第１電極１１が形成される第１透光性基材５１１と、第２電極１２、第１連結部分４１および第２連結部分４２が形成される第２透光性基材５１２との２つの透光性基材を貼り合わせた構造になっているが、図１３（ｂ）に示すように１つの透光性基材５１によって構成してもよい。
【００６９】
すなわち、図１３（ｂ）に示す層構造では、透光性基材５１の一方面に第１電極１１が形成され、他方面に第２電極１２、第１連結部分４１および第２連結部分４２が形成されている。透光性基材５１の第２電極１２、第１連結部分４１および第２連結部分４２が形成された側には透光性粘着材５３を介して透光性カバーフィルム５５が取り付けられている。このような層構造によって構成される入力装置１Ｆは、透光性粘着材５６によって表示装置３００の上に取り付けられている。
【００７０】
図１３（ａ）および（ｂ）に示すいずれの層構造であっても、図１２に示すように中心軸ＢＬの一方側に第１引き出し配線ＴＹ１１が接続され、中心軸ＢＬの他方側に第２引き出し配線ＴＹ２１が接続される。これにより、基材１０の屈曲によって屈曲可能領域ＢＲの第２電極１２が中心軸ＢＬで分断されても、第１引き出し配線ＴＹ１１および第２引き出し配線ＴＹ２１の信号に基づく容量を合算する演算を行えば、Ｙ方向に延びる１つの第２電極１２としての容量変化を検出することができる。
【００７１】
また、屈曲可能領域ＢＲにおいて第１電極１１が屈曲の影響を受けて中心軸ＢＬに沿って分断された場合でも、第１電極１１に接続された一方側の引き出し配線ＴＸ１および他方側に接続された引き出し配線ＴＸ２のそれぞれ信号に基づく容量を合算する演算を行えば、Ｘ方向に延びる１つの第１電極１１としての容量変化を検出することができる。
【００７２】
なお、上記説明したいずれの実施形態についても、入力装置１、１Ｂ、１Ｃ、１Ｄ、１Ｅおよび１Ｆを設けた基材１０の面を内側にして折り曲げる（内折り）にしてもよい。特に本実施形態では、屈曲させる際の曲率半径（φ／２）が０．５ｍｍ以下でも第２電極１２の導通性を得ることができる。したがって。基材１０を内折りにしても第２電極１２への屈曲の影響を受けにくくすることができる。
【００７３】
以上説明したように、本実施形態によれば、保護層など複雑な構造にすることなく、不可視性を悪化させず、屈曲しても正確な検出を行うことが可能な入力装置を提供することが可能になる。
【００７４】
なお、上記に本実施形態を説明したが、本発明はこれらの例に限定されるものではない。例えば、本実施形態ではＹ方向に貫く屈曲可能領域ＢＲを設定した例を示したが、Ｘ方向に貫く屈曲可能領域を設定してもよい。この場合、連結部４０は第１島状電極部１１１を繋ぎ、ブリッジ配線部２０は第２島状電極部１２１を繋ぐよう構成し、第１島状電極部１１１に第１連結部分４１および第２連結部分４２を接続するよう構成すればよい。また、第１島状電極部や第２島状電極部１２１の形状は略菱形以外の形状であってもよい。さらに、前述の各実施形態に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００７５】
１，１Ｂ，１Ｃ，１Ｄ，１Ｅ，１Ｆ…入力装置
２，３…入力装置
１０…基材
１１…第１電極
１２…第２電極
２０…ブリッジ配線部
３０…島状絶縁部
４０…連結部
４１…第１連結部分
４２…第２連結部分
４５…連結部
５１…透光性基材
５３，５４，５６…透光性粘着材
５５…透光性カバーフィルム
１００…フレキシブル基板
１１１…第１島状電極部
１２１…第２島状電極部
３００…表示装置
５１１…第１透光性基材
５１２…第２透光性基材
ＢＬ…中心軸
ＢＲ…屈曲可能領域
Ｓ…位置検出領域
ＳＬ，ＳＬ１，ＳＬ２…スリット部
ＴＸ，ＴＸ１，ＴＸ２，ＴＹ，ＴＹ１，ＴＹ２…引き出し配線
ＴＹ１１…第１引き出し配線
ＴＹ２１…第２引き出し配線
ｄ…間隔
【図１】
2020187382.tif 000003
【図２】
2020187382.tif 000004
【図３】
2020187382.tif 000005
【図４】
2020187382.tif 000006
【図５】
2020187382.tif 000007
【図６】
2020187382.tif 000008
【図７】
2020187382.tif 000009
【図８】
2020187382.tif 000010
【図９】
2020187382.tif 000011
【図１０】
2020187382.tif 000012
【図１１】
2020187382.tif 000013
【図１２】
2020187382.tif 000014
【図１３】
2020187382.tif 000015